(57)【要約】【課題】カバーと本体部とをより確実に接合することができるカバー取付け構造を有する照明具を提供する。【解決手段】光源が配置される光源配置部３０と、光源配置部３０の周囲に環状に形成された係合溝部３４とを有する本体部３と、光源配置部３０を覆うように本体部３に取り付けられたカバー４であり、係合溝部３４に挿入される筒状の取付部４５を有するカバー４とを備え、取付部４５は、筒部外周面部４５０１から突き出すように形成された第１係合突起部４６と筒部内周面部４５０２から突き出すように形成された第２係合突起部４７とを有し、第１係合突起部４６は、係合溝部３４の側壁外周部３４１と対向した状態で側壁外周部３４１によって筒軸方向の移動が規制されており、第２係合突起部４７は、係合溝部３４に形成された回動規制凹部３８２に係止された状態で回転方向の移動が規制されている。【選択図】          図１６
2018174073.tif 000002
【特許請求の範囲】
【請求項１】
光源が配置される光源配置部と、前記光源配置部の周囲に環状に形成された係合溝部とを有する本体部と、
前記光源配置部を覆うように前記本体部に取り付けられるカバーであり、前記係合溝部に挿入される筒状の取付部を有するカバーと
を備え、
前記取付部は、
筒状の周面から前記周面と交差する方向に突き出すように形成された第１係合突起部と筒状の前記周面から前記周面と交差する前記第１係合突起部の方向とは異なる方向に突き出すように形成された第２係合突起部とを有し、
前記第１係合突起部は前記係合溝部の側壁と対向した状態で前記側壁によって筒軸方向の移動が規制されており、前記第２係合突起部は前記係合溝部に形成された回動規制部に係止された状態で回転方向の移動が規制されている照明具。
【請求項２】
前記側壁は、
前記取付部が前記係合溝部に挿入される際に前記第１係合突起部を収容するための第１挿入切欠き部が形成された請求項１に記載の照明具。
【請求項３】
前記側壁は、
前記取付部が前記係合溝部に挿入される際に前記第２係合突起部を収容するための第２挿入切欠き部が形成された請求項１又は２に記載の照明具。
【請求項４】
前記取付部は、
前記第１挿入切欠き部に前記第１係合突起部を収容しながら前記係合溝部に挿入された状態から回転し、
前記壁部の位置は、
前記取付部の回転にしたがって前記第１挿入切欠き部の位置から移動する前記第１係合突起部と対向する位置である請求項１から３のいずれか一項に記載の照明具。
【請求項５】
前記取付部は、
前記第２挿入切欠き部に前記第２係合突起部を収容しながら前記係合溝部に挿入された状態から回転し、
前記回動規制部の位置は、
前記取付部の回転にしたがって前記第２挿入切欠き部の位置から移動する前記第２係合突起部と対向する位置である請求項１から４のいずれか一項に記載の照明具。
【請求項６】
前記第１係合突起部及び前記第２係合突起部は、
前記取付部の中心軸を基準とした所定の角度だけ離れた状態で、前記筒状の周面に形成されている請求項１から５のいずれか一項に記載の照明具。
【請求項７】
前記第１係合突起部の移動を規制する前記側壁及び前記第２係合突起部の移動を規制する前記回動規制部は、
前記本体部の中心軸を基準とした所定の角度だけ離れた状態で、前記係合溝部に形成されている請求項１から６のいずれか一項に記載の照明具。
【請求項８】
前記取付部は、
前記周面に前記第１係合突起部を少なくとも２つ有し、
前記第１挿入切欠き部は、
前記取付部が前記係合溝部に挿入される際に前記側壁において前記第１係合突起部に対応する位置に形成された請求項１から７のいずれか一項に記載の照明具。
【請求項９】
前記取付部は、
前記周面に前記第２係合突起部を少なくとも２つ有し、
前記第２挿入切欠き部は、
前記取付部が前記係合溝部に挿入される際に前記側壁において前記第２係合突起部に対応する位置に形成された請求項１から８のいずれか一項に記載の照明具。
【請求項１０】
光源が配置される光源配置部と前記光源配置部の周囲に環状に形成された係合溝部とを有する本体部に、前記光源配置部を覆うように取り付けられるカバーであり、
前記係合溝部に挿入される筒状の取付部を有し、
前記取付部は、
筒状の周面から前記周面と交差する方向に突き出すように形成された第１係合突起部と筒状の前記周面から周面と交差する前記第１係合突起部の方向とは異なる方向に突き出すように形成された第２係合突起部とを有し、
前記第１係合突起部は前記係合溝部の側壁と対向した状態で前記側壁によって筒軸方向の移動が規制され、前記第２係合突起部は前記係合溝部に形成された回動規制部に係止された状態で回転方向の移動が規制されるカバー。
【請求項１１】
前記取付部は、
前記係合溝部に挿入される際に前記第１係合突起部を収容するために前記側壁に形成された第１挿入切欠き部に、前記第１係合突起部を収容しながら前記係合溝部に挿入され、前記係合溝部に挿入された状態で回転し、
前記第１係合突起部は、
前記取付部の回転にしたがって前記第１挿入切欠き部に収容された状態から前記側壁と対向する位置に移動する請求項１０に記載のカバー。
【請求項１２】
前記取付部は、
前記係合溝部に挿入される際に前記第２係合突起部を収容するために前記側壁に形成された第２挿入切欠き部に、前記第２係合突起部を収容しながら前記係合溝部に挿入された状態から回転し、
前記第２係合突起部は、
前記取付部の回転にしたがって前記第１挿入切欠き部に収容された状態から前記側壁に形成された回動規制部の位置に移動する請求項１０又は１１に記載のカバー。
【請求項１３】
前記取付部は、
前記周面に前記第１係合突起部を少なくとも２つ有し、前記側壁において前記第１係合突起部に対応する位置に形成された前記第１挿入切欠き部に収容されながら前記係合溝部に挿入された請求項１０から１２のいずれか一項に記載のカバー。
【請求項１４】
前記取付部は、
前記周面に前記第２係合突起部を少なくとも２つ有し、前記側壁において前記第２係合突起部に対応する位置に形成された前記第２挿入切欠き部に収容されながら前記係合溝部に挿入された請求項１０から１３のいずれか一項に記載のカバー。
【請求項１５】
請求項１から９のいずれか１項に記載の照明具と、前記照明具が取り付けられる照明器具とを備えた記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）を用いた照明具、照明具に用いられるカバー、照明具を用いた照明装置に関する。特に、電球形ランプである照明具におけるカバーと本体部との取付け構造に関する。
【背景技術】
【０００２】
従来、ＪＩＳ規格で規定されている一般照明用白熱電球のように、ランプ全体を明るくすることができる電球形ランプ及びこの電球形ランプを用いた照明器具がある。このような電球形ランプでは、光源を覆うカバーが大きくなると共に重くなるため、ＬＥＤが取り付けられる本体部からカバーが抜けにくい構造とする必要がある。
【０００３】
特許文献１では、カバーの開口縁部の断面形状を鏃（やじり）状にした照明具が開示されている。
【先行技術文献】
【特許文献】
【０００４】
【特許文献１】特開２０１０−２０５６４５号公報
【発明の概要】
【発明が解決しようとする課題】
【０００５】
特許文献１の照明具では、カバーの開口縁部の断面形状を鏃状にすることで、カバーが接着剤から抜けにくい構造としている。しかし、カバーと本体部との機械的な係合手段がないため、接着剤の経年劣化によりカバーが抜けてしまうという課題がある。
【０００６】
本発明は、カバーと本体部とをより確実に接合することができるカバー取付け構造を有する照明具を提供することを目的とする。
目的とする。
【課題を解決するための手段】
【０００７】
本発明に係る照明具は、光源が配置される光源配置部と、前記光源配置部の周囲に環状に形成された係合溝部とを有する本体部と、前記光源配置部を覆うように前記本体部に取り付けられたカバーであり、前記係合溝部に挿入される筒状の取付部を有するカバーとを備え、前記取付部は、筒状の周面から前記周面と交差する方向に突き出すように形成された第１係合突起部と筒状の前記周面から前記周面と交差する前記第１係合突起部の方向とは異なる方向に突き出すように形成された第２係合突起部とを有し、前記第１係合突起部は、前記係合溝部の側壁と対向した状態で前記側壁によって筒軸方向の移動が規制されており、前記第２係合突起部は前記係合溝部に形成された回動規制部に係止された状態で回転方向の移動が規制されている。
【発明の効果】
【０００８】
本発明に係る照明具によれば、取付部が、筒状の周面から突き出すように形成された第１係合突起部と第２係合突起部とを有し、第１係合突起部が、係合溝部の側壁と対向した状態で側壁によって筒軸方向の移動が規制されており、前記第２係合突起部は前記係合溝部に形成された回動規制部に係止された状態で回転方向の移動が規制されているので、カバーは本体部から外れることがなく確実に接合することができるという効果を奏する。
【図面の簡単な説明】
【０００９】
【図１】本発明の実施の形態１に係る照明具１００の分解斜視図である。
【図２】本発明の実施の形態１に係る照明具１００の斜視図である。
【図３】本発明の実施の形態１に係る照明具１００を示す図であり、（ａ）が平面図、（ｂ）が底面図である。
【図４】本発明の実施の形態１に係る照明具１００を示す図であり、（ａ）が正面図、（ｂ）が側面図、（ｃ）が（ａ）のＡ−Ａ断面図である。
【図５】本発明の実施の形態１に係る絶縁部２の斜視図であり、（ａ）が上方から見た斜視図、（ｂ）が下方から見た斜視図である。
【図６】本発明の実施の形態１に係る絶縁部２を示す図であり、（ａ）が平面図、（ｂ）が底面図である。
【図７】実施の形態１に係る本体部３を示す図であり、（ａ）は上部から見た斜視図、（ｂ）は下部から見た斜視図である。
【図８】本発明の実施の形態１に係る本体部３を示す図であり、（ａ）が平面図、（ｂ）が底面図である。
【図９】本発明の実施の形態１に係る本体部３を示す図であり、（ａ）が第１挿入切欠き部３５を示す拡大図、（ｂ）が係合溝部３４示す拡大図である。
【図１０】本発明の実施の形態１に係る本体部３を示す図であり、（ａ）が図９の（ｂ）の斜視図、（ｂ）が図９の（ａ）の斜視図である。
【図１１】本発明の実施の形態１に係るカバー４の斜視図である。
【図１２】本発明の実施の形態１に係るカバー４を示す図であり、（ａ）が平面図、（ｂ）が底面図である。
【図１３】本発明の実施の形態１に係るカバー４を示す図であり、図１１のＣ部拡大斜視図である。
【図１４】本発明の実施の形態１に係る本体部３とカバー４との取付け構造を示す図であり、（ａ）が第１挿入切欠き部３５に第１係合突起部４６を挿入する状態を示す図、（ｂ）が第１挿入切欠き部３５に第１係合突起部４６を挿入した状態を示す図である。
【図１５】本発明の実施の形態１に係る本体部３とカバー４との取付け構造を示す図であり、第１挿入切欠き部３５に第１係合突起部４６を挿入した後にカバー４を回転した状態を示す図である。
【図１６】本発明の実施の形態１に係る本体部３とカバー４との取付け構造を示す図であり、（ａ）は第１第１挿入切欠き部３５に第１第１係合突起部４６を挿入し、第２第１挿入切欠き部３８０に第２第１係合突起部４７を挿入した状態を示す図、（ｂ）及び（ｃ）は（ａ）の状態の後にカバー４を回転した状態を示す図、（ｄ）は（ｃ）の状態の後に第２第１係合突起部４７が回動規制凹部３８２に係合した状態を示す図である。
【図１７】本発明の実施の形態２に係る本体部３とカバー４との取付け構造を示す図であり、係合溝部３４と取付部４５との係合状態を示す図である。
【図１８】本発明の実施の形態３に係る照明具１００の分解斜視図である。
【図１９】本発明の実施の形態３に係る本体部３とカバー４との取付け構造を示す図であり、光源回路基板６０ａと取付部４５との係合状態を示す図である。
【図２０】本発明の実施の形態４に係る照明具１００を吊り下げタイプの照明器具２０００に装着した照明装置３０００を示す図である。
【図２１】本発明の実施の形態５に係る照明具１００を埋め込みタイプの照明器具２０００ａに装着した照明装置３０００ａを示す図である。
【発明を実施するための形態】
【００１０】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。
【００１１】
実施の形態１．
＜＜構成の説明＞＞
図１は、本実施の形態に係る照明具１００の分解斜視図である。
図２は、本実施の形態に係る照明具１００の斜視図である。
図３は、本実施の形態に係る照明具１００を示す図であり、（ａ）が平面図、（ｂ）が底面図である。
図４は、本実施の形態に係る照明具１００を示す図であり、（ａ）が正面図、（ｂ）が側面図、（ｃ）が（ａ）のＡ−Ａ断面図である。
【００１２】
照明具１００は、口金１、絶縁部２、本体部３、カバー４、電源部５、及び光源部６を有する。
図１に示すように、照明具１００の中心軸を軸Ｏとする。
軸Ｏと平行な方向を軸方向あるいは矢印Ｚの方向（Ｚ方向）という。軸方向の一端とは、図４の（ａ）において、上部をいう。軸方向の他端とは、図４の（ａ）において、下部をいう。
照明具１００の上部側への向きを、上方あるいは発光向きという。また、照明具１００の下部側への向きを、下方あるいは発光向きの反対向きという。なお、光源が発する光の向きを発光向きという。
軸Ｏと直交する方向を径方向という。図３に示すように、矢印Ｘの方向（Ｘ方向）、矢印Ｙの方向（Ｙ方向）は径方向の一例である。また、軸Ｏの周囲を回転する方向を周方向という。
【００１３】
照明具１００は、具体的には、ＬＥＤを光源として用い、外形形状が一般照明用白熱電球（エジソン電球）と同一のフォルムを有する電球形ランプである。
【００１４】
＜口金１の説明＞
図１から図４に示すように、口金１は、絶縁部２のネジ部２１０にねじ込まれるシェル部１０、口金１の下端部のアイレット部１２を有する。
口金１は、シェル部１０が絶縁部２の下部のネジ部２１０にねじ込まれ、絶縁部２に取り付けられる。
口金１は、後述する照明器具２００のソケット２０１にねじ込まれ照明器具に取り付けられる。口金１は照明器具２００のソケットから商用交流電力の供給を受ける（受電する）受電部ともいう。また、口金１は、照明具１００の外郭部としての機能を有する。
【００１５】
＜絶縁部２の説明＞
図５は、本実施の形態に係る絶縁部２を構成する筒部２０の斜視図であり、（ａ）が上方から見た斜視図、（ｂ）が下方から見た斜視図である。
図６は、本実施の形態に係る絶縁部２を構成する筒部２０を示す図であり、（ａ）が平面図、（ｂ）が底面図である。
【００１６】
図１から図６を用いて、絶縁部２について説明する。
絶縁部２は、外周部２１と内周部２２とを有する筒状の筒部２０と、筒部２０の上部を塞ぐ蓋部２６とを有する。
絶縁部２は、例えば、樹脂材料などの絶縁材料により形成される。すなわち、筒部２０及び蓋部２６は、例えば、樹脂材料などの絶縁材料により形成される。
【００１７】
絶縁部２は、絶縁筐体、樹脂筐体、内部筐体、ハウジングともいう。
絶縁部２は、射出成形法の他、付加製造技術（Ａｄｄｉｔｉｖｅ  Ｍａｎｕｆａｃｔｕｒｉｎｇ  Ｔｅｃｈｎｏｌｏｇｙ；一般に、３Ｄプリンターとも称される）を用いて形成されてもよい。
【００１８】
筒部２０の外周部２１の下部には、口金１のシェル部１０がねじ込まれるネジ部２１０が形成される。
ネジ部２１０の外周には、口金１が装着されるソケットに対応してネジが切られている。
絶縁部２は、ネジ部２１０の下端部、すなわち口金１の側に下部開口を形成する第１開口端部２４と、筒部２０の上端部、すなわち光源部６の側に上部開口を形成する第２開口端部２５とを有する。
第１開口端部２４から第２開口端部２５までは、筒部２０の内部空間によって連通している。
【００１９】
図５に示すように、筒部２０の外周部２１には、絶縁部２を本体部３に挿入する際のガイドとなる挿入ガイド凸部２１２と、本体部３の下部に係止される鍔部２１１とを備える。挿入ガイド凸部２１２は、後述するリブ２３の外側に形成される。
図４の（ａ）（ｂ）（ｃ）に示すように、本体部３と口金１の間には、絶縁部２の鍔部２１１が露出する。
鍔部２１１は、外周部２１とネジ部２１０との境界に、外周部２１から環状に突き出して形成される。鍔部２１１は照明具１００の外殻部である。
図４の（ａ）（ｂ）に示すように、鍔部２１１は、照明具１００の高い器具装着性と意匠性とを実現するために、ネジ部２１０側の下端部と上端部との間は曲面で形成される。
【００２０】
ネジ部２１０の下端の周縁、すなわち第１開口端部２４には、口金１のシェル部１０に接続される第１電線を通過させる通線凹部２４０が形成される。通線凹部２４０は、幅Ｗ３４（図６の（ｂ））で第１開口端部２４を切り欠いて形成される。また、鍔部２１１の下端部には、この第１電線の端部を配置するための電線配置溝２１３が形成される。ここでは、第１電線の図示を省略する。
【００２１】
第２開口端部２５には、光源部６及び蓋部２６をネジ止めするためのネジ孔２５１が形成された第１凸部２５０が設けられる。第１凸部２５０はボスともいう。
図５の（ａ）（ｂ）に示すように、第１凸部２５０は、第２開口端部２５の略直径上に２つ形成されている。本実施の形態では、２つの第１凸部２５０が、中心軸に対して回転対称に２箇所配置されているが、第１凸部２５０を配置する位置及び数は、上述以外の位置及び数でも構わない。
【００２２】
なお、鍔部２１１より上部の筒部２０の最大径Ｗ３１（図６の（ａ））は、鍔部２１１の最大径Ｗ２８（図６）よりも若干小さい。また、２つの第１凸部２５０の各中心部の間隔Ｗ１２（図６の（ａ））は、鍔部２１１より上部の筒部２０の最大径Ｗ３１よりも若干小さい。
【００２３】
上述したように、挿入ガイド凸部２１２は、第１凸部２５０から下方に向かって形成されると共に、外周部２１から突出して形成されている。また、リブ２３は、第１凸部２５０から下方に向かって形成されると共に、内周部２２から突出して形成されている。
図５の（ａ）に示すように、第１凸部２５０と挿入ガイド凸部２１２とリブ２３とは、上下方向に延びた円柱状であり、筒部２０の壁部に配置され、壁部の外周部２１から挿入ガイド凸部２１２が突出すると共に壁部の内周部２２からリブ２３が突出する。
【００２４】
第２凸部２５２は、２つの第１凸部２５０の間の第２開口端部２５から上部に突き出すように形成される。図５に示すように、第２凸部２５２は、幅Ｗ２９で上部に突き出ている。第２凸部２５２は、本体部３に対する絶縁部２の回転方向の向きを特定するために配置されており、後述する本体部３の第２凹部３６１に挿入される。
本体部３に対する絶縁部２の回転方向の向きを特定することによって、電源部５と光源部６とを電気的に繋いで光源部６に点灯電力を供給する経路となる第１電線対（不図示）の長さを最短とすることができる。よって、製造コストの削減を図ることができる。また、第１電線対の余長が光を妨げ、影が発生することもない。
【００２５】
蓋部２６は、筒部２０の第２開口端部２５を覆うように取り付けられる。
蓋部２６には、筒部２０の第１凸部２５０を貫通させて位置決めすると共に、ネジを貫通させるネジ貫通部２６０と、電線を貫通させる電線貫通孔２６１とが形成される。
【００２６】
＜電源部５の説明＞
電源部５は、筒状の絶縁部２の内部に収納される。
電源部５は、外部電力を入力とし、光源を点灯させる電源を光源部６に供給する。
電源部５は、点灯回路基板５０を有する。点灯回路基板５０には、点灯回路部品５１が実装される。
口金１と電源部５とは、第１電線対により電気的に接続される。第１電線対は、電源部５に外部電力を供給する経路となる。ここでは、第１電線対の図示は省略する。
また、電源部５と光源部６とは、第２電線対により電気的に接続される。第２電線対は、光源部６に点灯電力を供給する経路となる。ここでは、第２電線対の図示は省略する。
なお、点灯回路基板５０の枚数は１枚でなくてもよい。点灯回路基板５０は、複数に分割されてもよいものとする。
【００２７】
＜光源部６の説明＞
光源部６は、後述する本体部３の光源配置部３０に取り付けられる。
光源部６は、円板状の光源回路基板６０と、光源回路基板６０の表面であり実装面である実装部６１に実装される光源素子６７とを備える。光源素子６７は、具体的には、ＬＥＤである。また、光源回路基板６０には、ネジ貫通孔６５が形成され、ネジ７を用いて本体部３に取り付けられる。光源部６は、光源回路基板６０の実装部６１の裏面である熱伝達部６２と光源配置部３０とが当接した状態で、光源配置部３０に固定される。
ネジ貫通孔６５は、光源部６を後述する本体部３に取り付ける際に位置決めしやすくするために、光源回路基板６０の周縁部側が開放されるように形成されている。
また、光源回路基板６０には、電源部５に接続された電線を挿通させる電線挿通孔６６が形成される。
なお、図１は照明具１００の下部から見た斜視図であるため実際には光源素子６７を目視できないので、光源素子６７の位置を点線にて示している。
光源素子６７は、できるだけ光源回路基板６０の実装部６１の周縁近傍に配置される。このように配置することにより、口金１の側への配光を向上させることができる。具体的には、全般配光形（全配光形、広配光形ともいう）の照明具１００を実現できる。具体的には、照明具１００は、全般配光形（広配光形）の配光特性２２０°を実現することができる。
【００２８】
図１に示すように、ネジ７は、光源回路基板６０のネジ貫通孔６５、光源配置部３０のネジ貫通孔３２、蓋部２６のネジ貫通部２６０を貫通し、絶縁部２の第１凸部２５０に設けられたネジ孔２５１にねじ込まれる。このネジ７により、光源部６、本体部３、絶縁部２の蓋部２６及び筒部２０を一体に固定する。
なお、ネジ７の他にリベット、粘着テープ、接着剤などを用いて、光源回路基板６０を光源配置部３０に取り付けてもよい。粘着テープ、接着剤などにより光源回路基板６０を光源配置部３０に取り付ける場合は、本体部３、絶縁部２の蓋部２６及び筒部２０を他のネジにより一体に固定する必要がある。
【００２９】
＜本体部３の説明＞
図７は、本実施の形態に係る本体部３を示す図であり、（ａ）は上部から見た斜視図、（ｂ）は下部から見た斜視図である。
図８は、本実施の形態に係る本体部３を示す図であり、（ａ）が平面図、（ｂ）が底面図である。
図９は、本実施の形態に係る本体部３を示す図であり、（ａ）が第１挿入切欠き部３５を示す拡大図、（ｂ）が係合溝部３４を示す拡大図である。
図１０は、本実施の形態に係る本体部３を示す図であり、（ａ）が図９の（ｂ）の斜視図、（ｂ）が図９の（ａ）の斜視図である。
【００３０】
図１から図４及び図７から図１０を用いて、本体部３の構成について説明する。
図７に示すように、本体部３の外郭は、上面部３４７と、上面部３４７に対向する開口端部３７６と、上面部３４７の周縁である上面端部３４６から開口端部３７６の周縁に向かって窄むように形成された外周部３７３とから成る。開口端部３７６は、本体部３における下面部の一例である。
図７に示すように、本体部３は、光源部６が配置される光源配置部３０と、光源配置部３０の周囲に環状に形成された係合溝部３４とを有する。光源配置部３０及び係合溝部３４は本体部３の上面部３４７に形成されている。
本体部３は、例えば、金属材料などの熱伝導性を有する材料で形成される。
本体部３は、外部筐体、熱伝導筐体、放熱部、ヒートシンクともいう。
【００３１】
光源配置部３０は、本体部３の上面部であり、光源回路基板６０の裏面である熱伝達部６２が当接した状態で、光源部６が取り付けられる。
また、本体部３は、絶縁部２を内部に収納する筒部３７を備える。筒部３７の下部の開口端部３７６から絶縁部２が挿入される。筒部３７は照明具１００の外郭部の機能を有する。
図９の（ａ）（ｂ）に示すように、光源配置部３０は、筒部３７の上面部３４７の周縁である上面縁部３４６よりＬ１２だけ下方に下がった位置に形成されている。これにより、光源部６が光源配置部３０に取り付けられた場合に、光源素子６７が上面部３４７と略同一面上に位置し、照明具１００の配光特性を向上させる。なお、所望の配光特性を得ることができれば、光源配置部３０は、筒部３７の上面部３４７の周縁である上面縁部３４６と同一面上に設けられていてもよいし、上面縁部３４６より高い位置に設けられていても構わない。
【００３２】
筒部３７は、上面縁部３４６から下方に向かって第１の曲率半径Ｒ２で内側に窄んだ第１錐状部３７０と、第１錐状部３７０から下方に形成された第２錐状部３７１と、第２錐状部３７１から下方に形成された第３錐状部３７２とを備える。
第１錐状部３７０において第１の曲率半径Ｒ２で窄んだ形状は、後述するカバー４の第２主部４２と連続して第１の曲率半径Ｒ２で窄んだ滑らかな曲面をなす。
第２錐状部３７１は、窄んだり膨らんだりせずに、徐々に縮径した形状である。
第３錐状部３７２は、第２の曲率半径Ｒ３で外側に膨らんだ形状である。第３錐状部３７２は、絶縁部２の鍔部２１１と連続して滑らかな曲面をなす。
筒部３７の下端部、すなわち第３錐状部３７２の下端部は、開口端部３７６となる。
【００３３】
筒部３７は、外周面である外周部３７３と、内周面である内周部３７４とを備える。
内周部３７４には、凹みである挿入ガイド凹部３７５が形成される。挿入ガイド凹部３７５は、絶縁部２の挿入ガイド凸部２１２と係合して、絶縁部２における筒部３７への挿入をガイドする。
外周部３７３は、照明器具への装着性を考慮した、わずかに凹む形状であり、全体として、上部から下部にかけて徐々に窄まる滑らかな曲面を成している。
【００３４】
なお、図示は省略するが、外周部３７３は、第１錐状部３７０と第３錐状部３７２とを滑らかに接続する曲面であれば、第１錐状部３７０と異なる曲率半径Ｒ４の第３の曲率で窄んだ形状をなす第２錐状部３７１を備えてもよい。
また、図示は省略するが、外周部３７３は、凹んだり膨らんだりせずに徐々に縮径した形状であってもよい。
【００３５】
本体部３は、照明具１００の外殻部として安定して形態を維持させる機能、及び、光源部６の光源素子６７から発せられる動作熱を照明具１００の外部へ放散させる機能を備える。
本体部３の材質は、材料コストや成型性を優先するとアルミニウム、チタンなどの金属材料が望ましい。あるいは、これらの金属を含む合金材料、熱伝導性のフィラーが混合された樹脂材料、セラミックなどの材料を用いることができる。
また、本体部３は、射出成形法、切削法の他、付加製造技術（Ａｄｄｉｔｉｖｅ  Ｍａｎｕｆａｃｔｕｒｉｎｇ  Ｔｅｃｈｎｏｌｏｇｙ）を用いて形成されてもよい。
【００３６】
光源配置部３０は、光源部６の光源回路基板６０と当接する光源配置面部３１を有する。
光源配置部３０には、光源部６が取り付けられた場合に、光源回路基板６０のネジ貫通孔６５と連通するネジ貫通孔３２と、光源回路基板６０の電線挿通孔６６と連通する電線貫通孔３３とが形成される。
ネジ貫通孔３２と光源配置部３０の周縁部との間には、光源回路基板６０に形成されたネジ貫通孔６５に対応した位置決め用の目印が形成されている。具体的には、ネジ貫通孔３２と光源配置部３０の周縁部との間には、ネジ貫通孔３２の直径と略同じ幅寸法で、後述する係合溝部３４と略同じ深さの溝が形成されている。これによって、光源部６を本体部３に取り付ける際に位置決めがしやすくなる。
光源回路基板６０のネジ貫通孔６５及び電線挿通孔６６の形、光源配置部３０のネジ貫通孔３２及び電線貫通孔３３の形は、図１、図８の形でなくてもよく、他の形でも構わない。
【００３７】
図７の（ｂ）に示すように、筒部３７の内部は空洞部３７８となっている。空洞部３７８には、内部に電源部５が収納された絶縁部２が配置される。
図９の（ａ）に示すように、空洞部３７８を形成する上面である内面部３６には、絶縁部２の第１凸部２５０が嵌まり込む第１凹部３６０が形成される。第１凸部２５０が第１凹部３６０に嵌った状態で、ネジ貫通孔３２と絶縁部２のネジ孔２５１とが連通する。
また、図９の（ｂ）に示すように、内面部３６には、絶縁部２の第２凸部２５２が嵌まり込む第２凹部３６１が形成される。第２凸部２５２が第２凹部３６１に嵌ることにより、絶縁部２の回転方向の位置決めをする。
第２凹部３６１の幅Ｗ１５（図８の（ｂ））は、第２凸部２５２の幅Ｗ２９（図６の（ａ））より若干広く形成される。
【００３８】
図９の（ｂ）に示すように、係合溝部３４は、両側の側壁３４９と側壁３４９の底に設けられた底部３４４とを有する。また、係合溝部３４は、底部３４４に対向する位置に開口部３４５を有する。係合溝部３４の深さはＬ１３である。
両側の側壁３４９のうち内側の側壁３４９を側壁内周部３４０とし、外側の側壁３４９を側壁外周部３４１とする。側壁外周部３４１は係合溝部３４の側壁３４９の一例である。側壁外周部３４１の上部には、側壁外周部３４１の上端から外側に開く傾斜を有する第２外周部３４２が形成される。
【００３９】
図９の（ｂ）に示すように、側壁外周部３４１は、底部３４４から上方に向かって徐々に内側に傾斜するように形成されている。よって、底部３４４の幅Ｗ２７より、開口部３４５の幅Ｗ２６の方が幅Ｗ２５だけ狭く形成されている。
つまり、係合溝部３４は下端部の幅より上端部（開口端部）の幅が若干狭くなっており、係合溝部３４の側壁外周部３４１は、上端部（開口端部）から下端部に向って徐々に外側に広がるように若干傾斜している。
【００４０】
このように、底部３４４の幅Ｗ２７を開口部３４５の幅Ｗ２６よりも広くすることにより、後述するカバー４の第１係合突起部４６が係合溝部３４から抜けにくくなり、係合溝部３４と第１係合突起部４６とがより確実に係合するようにしている。
係合溝部３４は二次加工によって全周に形成される。なお、係合溝部３４は第１係合突起部４６の幅Ｗ９（図１２の（ｂ））以上の寸法であれば部分的に形成されても良い。
【００４１】
図７の（ａ）及び図８の（ａ）に示すように、側壁外周部３４１には、側壁外周部３４１の直径上において対向する２箇所に、カバー４の取付部４５が係合溝部３４に挿入される際に第１係合突起部４６を収容するための第１挿入切欠き部３５が形成されている。第１挿入切欠き部３５は、取付部４５が係合溝部３４に挿入される際に側壁３４９において第１係合突起部４６に対応する位置に形成されている。
【００４２】
また、側壁内周部３４０には、対向する２箇所に、上述したネジ貫通孔３２が形成される。ネジ貫通孔３２は側壁内周部３４０から内側に凹むように形成される。
図７の（ａ）及び図８の（ａ）に示すように、係合溝部３４では、第１挿入切欠き部３５とネジ貫通孔３２とが対向するように配置される。
【００４３】
第１挿入切欠き部３５は、側壁外周部３４１が外側に凹むように切り欠かれて形成される。
図１０の（ｂ）示すように、第１挿入切欠き部３５は、側壁外周部３４１が切り欠かれた部分の最奥部に形成される切欠き外周部３５０と、切り欠かれた部分の側部である切欠き側壁部３５３と、切り欠かれた部分の底部である切欠き底部３５４とを有する。また、切欠き外周部３５０と対向する位置は切欠き開口部３５５となる。
切欠き外周部３５０は、上端より略垂直に形成された第１外周部３５１と、第１外周部３５１の下端から内側に向かって傾斜した第２外周部３５２とを有する。なお、切欠き外周部３５０は、上端より略垂直に形成された第１外周部３５１のみから構成されていてもよい。また、第１挿入切欠き部３５は第１係合突起部４６に対応した形で形成されていればよく、コの字形の他に、Ｕ字形、Ｖ字形などの形で凹むように形成されてもよい。
【００４４】
図７（ａ）及び図８の（ａ）に示すように、側壁内周部３４０には、側壁内周部３４０の直径上において対向する２箇所に、カバー４の取付部４５が係合溝部３４に挿入される際に第２係合突起部４７を収容するための第２挿入切欠き部３８０が形成されている。第２挿入切欠き部３８０は、取付部４５が係合溝部３４に挿入される際に側壁３４９（側壁内周部３４０）において第２係合突起部４７に対応する位置に形成されている。
【００４５】
係合溝部３４には、第１挿入切欠き部３５と異なる位置に第２挿入切欠き部３８０が形成されている。詳しくは、係合溝部３４の、第１挿入切欠き部３５及びネジ貫通孔３２が形成された位置から、回転方向に角度θ１だけ離れた位置に第２挿入切欠き部３８０が形成されている。第２挿入切欠き部３８０は側壁内周部３４０から内側にＵ字形に凹むように形成されている。
図８の（ａ）には、第２挿入切欠き部３８０が、第１挿入切欠き部３５及びネジ貫通孔３２が形成された位置から、反時計回りにθ１だけ離れた位置に形成されている例を示しているが、これとは逆に、第１挿入切欠き部３５及びネジ貫通孔３２が形成された位置から、時計回りにθ１だけ離れた位置に形成されていてもよい。また、第２挿入切欠き部３８０は第２係合突起部４７に対応した形で形成されていればよく、Ｕ字形の他に、コの字形、Ｖ字形などの形で凹むように形成されてもよい。
【００４６】
図７（ａ）及び図８の（ａ）に示すように、側壁内周部３４０には、側壁内周部３４０の直径上において対向する２箇所に、カバー４の取付部４５が係合溝部３４に挿入された状態から第２係合突起部４７を回転方向にスライドするためのスライド部３８１が形成されている。
スライド部３８１は、第２挿入切欠き部３８０から一番近いネジ貫通孔３２にかけて、円弧状である側壁内周部３４０の一部を直線状に後退させるように形成されている。スライド部３８１の深さ寸法Ｌ１３である。スライド部３８１は、第２係合突起部４７が当接しながらスライドできる程度に中心軸Ｏの側に後退している。係合溝部３４は、スライド部３８１が形成された部分では、幅が若干広くなっている。
【００４７】
以上のように、第１挿入切欠き部３５は、係合溝部３４の側壁外周部３４１に凹状に形成される。図９の（ａ）示すように、第１挿入切欠き部３５の切欠き底部３５４は、係合溝部３４の底部３４４よりも外側にＷ２４だけ広がっている。また、第１挿入切欠き部３５の幅Ｗ１４は、第１係合突起部４６の幅Ｗ９より広く形成される（Ｗ１４＞Ｗ９）。
第１挿入切欠き部３５の数は、収納する第１係合突起部４６の数以上であればよい。また、第１挿入切欠き部３５の位置は、収納する第１係合突起部４６の位置と対応していればよく、図７の（ａ）及び図８の（ａ）に示す位置に限らない。
【００４８】
そして、第２挿入切欠き部３８０は、係合溝部３４の側壁内周部３４０にＵ字形に凹むように形成される。図８（ａ）に示すように、第２挿入切欠き部３８０は、第１挿入切欠き部３５が形成された位置とは異なる位置であり、第１挿入切欠き部３５から回転方向に所定の角度θ１だけ離れた位置に形成される。
第２挿入切欠き部３８０の数は、収納される第２係合突起部４７の数以上であればよい。また、第２挿入切欠き部３８０の位置は、収納される第２係合突起部４７の位置に対応していればよく、図７（ａ）及び図８（ａ）に示す位置に限らない。
【００４９】
さらに、スライド部３８１は、第２挿入切欠き部３８０と一番近いネジ貫通孔３２との間に、側壁内周部３４０の一部を直線状に後退させるように形成される。図８（ａ）に示すように、スライド部３８１は、第２係合突起部４７が当接しながらスライドできる程度に中心軸Ｏの側に後退させるように形成される。
スライド部３８１の数は、第２挿入切欠き部３８０の数以上であり、スライドする第２係合突起部４７の数以上であればよい。
【００５０】
＜カバー４の説明＞
図１１は、本実施の形態に係るカバー４の斜視図である。
図１２は、本実施の形態に係るカバー４を示す図であり、（ａ）が平面図、（ｂ）が底面図である。
図１３は、本実施の形態に係るカバー４を示す図であり、図１１のＣ部拡大斜視図である。
【００５１】
図１から図４及び図１１から図１３を用いて、カバー４の構成について説明する。
カバー４は、光源部６を覆った状態で本体部３に取り付けられる。カバー４は、光透過部、透光部、光拡散部、グローブともいう。
カバー４は、本体部３と比較して熱伝導率が小さい樹脂材料を用いて形成されることが好ましい。照明具１００は、外殻部に占めるカバー４の割合が比較的大きいため、使用者は照明具１００を照明器具２００に取り付けたり取り外したりするときにカバー４を掴むことが想定される。カバー４が本体部３と比較して熱伝導率が小さい樹脂材料を用いて形成されることにより、使用者が、消灯直後に照明具１００に触れた場合でも不快感を覚えることがない。また、火傷など怪我のリスクも大幅に低減させることができる。
カバー主部４０は、光透過性の材料を含んで形成されている。また、カバー主部４０は、光拡散性の材料を含んで形成されていてもよい。
【００５２】
カバー４は、カバー主部４０と、下端部４４と、取付部４５とを備える。カバー主部４０と下端部４４と取付部４５とは、一つの部品で構成されることが好ましい。
カバー４は、ブロー成形法（中空成形法）、射出成形法の他、付加製造技術（Ａｄｄｉｔｉｖｅ  Ｍａｎｕｆａｃｔｕｒｉｎｇ  Ｔｅｃｈｎｏｌｏｇｙ）を用いて形成されてもよい。
カバー主部４０は、取付部４５の根元からドーム状に膨らむように形成されており、本体部３の光源配置部３０を覆うように本体部３に取り付けられる。カバー主部４０は、第１主部４１と第２主部４２とを備える。
【００５３】
図４の（ａ）に示すように、第１主部４１は、曲率Ｒ１で外側に膨らんだ形状である。第２主部４２は、曲率Ｒ２で内側に窄んだ形状である。カバー４が本体部３に取り付けられると、第２主部４２は本体部３の第１錐状部３７０と連続し、第２主部４２から第１錐状部３７０にかけて、曲率Ｒ２で滑らかに窄んだ形状を成す。
【００５４】
下端部４４は、カバー４が本体部３に取り付けられる際に、本体部３の上面部３４７と接する部分である。
下端部４４の最大外径Ｗ２は、カバー主部４０の最大外径Ｗ１よりも小さく形成される。また、下端部４４の最大外径Ｗ２は、本体部３の最大外径Ｗ１１（図４の（ｂ））と略同一であることが好ましい。
図１２の（ｂ）に示すように、下端部４４には、最大外径Ｗ１０の開口部４４０が形成される。カバー４が本体部３に取り付けられると、開口部４４０の位置に光源部６が配置されるため、カバー主部４０により光源部６が覆われる。
【００５５】
取付部４５は、カバー主部４０の開口部４４０の周縁から筒状に突き出した形状である。取付部４５は、本体部３の係合溝部３４に挿入される。取付部４５の最大外径Ｗ７は、カバー主部４０の最大外径Ｗ１よりも小さく形成される。また、取付部４５の最大外径Ｗ７は、下端部４４の最大外径Ｗ２よりも小さく形成される。
【００５６】
取付部４５は、下端部４４から突き出た筒部４５０と、筒部４５０の下端部から外側に突き出した鍔部４５１とを有する。本実施の形態においては、鍔部４５１は無くても構わない。なお、取付部４５の最大外径Ｗ７は、鍔部４５１の最大外径を指すものとする。
カバー主部４０は、取付部４５と一体に形成されると共に、最大外径Ｗ１が取付部４５の最大外径Ｗ７より大きい。
【００５７】
図１３に示すように、取付部４５は、筒部４５０と鍔部４５１とを有する。筒部４５０の外周面である筒部外周面部４５０１は、取付部４５の筒状の周面の一例である。
取付部４５の鍔部４５１は、鍔部４５１の外周面となる鍔部外周面部４５２と、筒部４５０から立ち上がり鍔部外周面部４５２に連続する鍔部上面部４５３と、鍔部下面部４５９とを有する。
【００５８】
取付部４５は、筒状の周面である筒部外周面部４５０１から突き出した第１係合突起部４６であって弾性体により形成された第１係合突起部４６を有する。
第１係合突起部４６は、係合溝部３４に挿入された状態で、係合溝部３４の側壁である側壁外周部３４１と対向し、側壁外周部３４１により弾性変形される。
第１係合突起部４６では、弾性変形をする材料、形状が決定される。また、第１係合突起部４６は、側壁外周部３４１よりも柔らかい材料が好適である。
【００５９】
第１係合突起部４６は、筒部外周面部４５０１及び鍔部外周面部４５２から筒部の外側に向かって突き出している。
図１３に示すように、第１係合突起部４６は、筒部外周面部４５０１から立ち上がる突起上面部４６７と、筒部外周面部４５０１及び鍔部外周面部４５２から立ち上がる一対の突起側面部４６８と、第１係合突起部４６の外周面である突起外周面部４６５と、突起下面部４６９とを有する。突起外周面部４６５は、下方に向かって広がるように傾斜する。突起外周面部４６５と突起下面部４６９との境界が、第１係合突起部４６において最も外側に突き出た突起先端部４６６である。突起下面部４６９は、鍔部下面部４５９から突起先端部４６６に向かって滑らかな曲面を成す。
なお、突起先端部４６６が鍔部下面部４５９と同じ高さにあり、突起下面部４６９が鍔部下面部４５９と連続する平面状であってもよい。
【００６０】
取付部４５は、周面に第１係合突起部４６を少なくとも２つ有する。図１２の（ｂ）に示すように、取付部４５の筒状の直径上において対向する２箇所に設けられる。よって、鍔部４５１の最大外径Ｗ７は、第１係合突起部４６を含めた取付部４５の最大外径Ｗ６より若干小さくなる。
第１係合突起部４６を収容する本体部３の第１挿入切欠き部３５は、取付部４５が係合溝部３４に挿入される際に側壁３４９の側壁外周部３４１において第１係合突起部４６に対応する位置に形成される。
【００６１】
取付部４５は、筒状の周面である筒部内周面部４５０２から突き出した第２係合突起部４７であって弾性体により形成された第２係合突起部４７を有する。
第２係合突起部４７は、係合溝部３４に挿入された状態で、係合溝部３４の側壁である側壁内周部３４０と対向し、カバー４を本体部３に取り付けるときに側壁内周部３４０に形成されたスライド部３８１により弾性変形される。
第２係合突起部４７では、弾性変形をする材料、形状が決定される。また、第２係合突起部４７は、側壁外周部３４１よりも柔らかい材料が好適である。
【００６２】
第２係合突起部４７は、筒部内周面部４５０２から筒部４５０の内側に向かって突き出している。
図１１に示すように、第２係合突起部４７は、筒部内周面部４５０２から半円筒状に立ち上がる。第２係合突起部４７は、筒部内周面部４５０２から半円筒状に立ち上がる周壁面である突起内周面部４７０、突起内周面部４７０の上面であり、筒部内周面部４５０２から立ち上がる突起上面部４７１、及び、突起内周面部４７０の下面であり、筒部内周面部４５０２から立ち上がる突起下面部４７２を有する。突起下面部４７２は、４５９と連続した平面である。
第２係合突起部４７の高さ寸法は、係合溝部３４の深さ寸法Ｌ１３よりも小さい。すなわち、第２係合突起部４７の突起上面部４７２の高さは、光源配置部３０の高さよりも低い。
【００６３】
取付部４５は、周面に第２係合突起部４７を少なくとも２つ有する。図１２の（ｂ）に示すように、取付部４５の筒状の直径上において対向する２箇所に設けられる。よって、筒部内周面部４５０２の最小内径Ｗ１０は、第２係合突起部４７を含めた取付部４５の最小内径より若干小さくなる。
第２係合突起部４７を収容する本体部３の第２挿入切欠き部３８０は、取付部４５が係合溝部３４に挿入される際に側壁３４９の側壁内周部３４０において第２係合突起部４７に対応する位置に形成される。
【００６４】
図１１に示すように、カバー４は、第１係合突起部４６の上部のカバー主部４０の表面に、第１係合突起部４６の位置を示すガイドマーク４３を有する。ガイドマーク４３は、第１係合突起部４６の位置を作業者に認識させるためのマークである。照明具１００の光学性能及び意匠性等を考慮すると、ガイドマーク４３はカバー主部４０の下端部寄り、すなわち第２主部４２に設けられることが好ましい。
ガイドマーク４３は、成形による立体形状である。なお、ガイドマーク４３は、印刷、刻印などでも良い。
【００６５】
＜本体部３とカバー４との取付け構造について＞
図１４は、本実施の形態に係る本体部３とカバー４との取付け構造を示す図であり、（ａ）が第１挿入切欠き部３５に第１係合突起部４６を挿入する状態を示す図、（ｂ）が第１挿入切欠き部３５に第１係合突起部４６を挿入した状態を示す図である。
図１５は、本実施の形態に係る本体部３とカバー４との取付け構造を示す図であり、第１挿入切欠き部３５に第１係合突起部４６を挿入した後にカバー４を回転した状態を示す図である。
図１６は、本実施の形態に係る本体部３とカバー４との取付け構造を示す図であり、（ａ）は第１第１挿入切欠き部３５に第１係合突起部４６を挿入し、第２挿入切欠き部３８０に第２係合突起部４７を挿入した状態を示す図、（ｂ）及び（ｃ）は（ａ）の状態の後にカバー４を回転した状態を示す図、（ｄ）は（ｃ）の状態の後に第２係合突起部４７が回動規制凹部３８２に係合した状態を示す図である。
【００６６】
図１４から図１６を用いて、本体部３とカバー４との取付け手順について説明する。
（１）作業者は、ガイドマーク４３により第１係合突起部４６の位置を確認し、第１係合突起部４６を本体部３の係合溝部３４の第１挿入切欠き部３５の位置に合わせながら、取付部４５を係合溝部３４に挿入する。図１４の（ａ）（ｂ）及び図１６の（ａ）は（１）の手順を示している。
このとき、図１４の（ｂ）に示すように、第１係合突起部４６の突起外周面部４６５は、係合溝部３４の側壁外周部３４１よりも外側に位置している。すなわち、第１係合突起部４６の厚みは、対応する側壁外周部３４１と側壁内周部３４０との間隔よりも大きい。
つまり、取付部４５の下端部における、カバー中心軸から第１係合突起部４６の外周までの最短距離は、本体中心軸から第１挿入切欠き部３５の外壁である切欠き外周部３５０までの最短距離より若干小さい。また、取付部４５の下端部における、カバー中心軸から第１係合突起部４６の外周までの最短距離は、本体中心軸から係合溝部３４の側壁外周部３４１までの最短距離より若干大きい。
図１６の（ａ）に示すように、作業者が（１）の手順で取付部４５を係合溝部３４に挿入した状態で、第２係合突起部４７は第２挿入切欠き部３８０に挿入されている。
【００６７】
（２）次に、作業者は、カバー４をＴ１方向に回転させる。あるいは、作業者は、本体部３をＴ２方向に回転させる。作業者は、カバー４をＴ１方向に回転させると共に、本体部３をＴ２方向に回転させてもよい。
図１６の（ｂ）（ｃ）は（２）の手順を示しており、図１５は及び図１６の（ｄ）は（２）の手順後を示している。
図１６に示すように、この回転により、第１係合突起部４６は、本体部３の係合溝部３４における第１挿入切欠き部３５の位置から、側壁外周部３４１と側壁内周部３４０とに挟まれた位置に移動する。そして、この回転により、第２係合突起部４７は、本体部３の係合溝部３４における第２挿入切欠き部３８０の位置からスライド部３８１を通過して回動規制凹部３８２の位置に移動する。
【００６８】
上述したように、第１係合突起部４６の厚みは側壁外周部３４１と側壁内周部３４０との間隔よりも大きいので、第１係合突起部４６が側壁外周部３４１と側壁内周部３４０との間に圧入される。第１係合突起部４６が側壁外周部３４１と側壁内周部３４０との間に圧入されると、第１係合突起部４６は、係合溝部３４の側壁である側壁外周部３４１と対向した状態で側壁の反力によって弾性変形する。
【００６９】
図１５に示すように、突起外周面部４６５は、係合溝部３４の側壁外周部３４１によりＰ方向に押圧される。すなわち、第１係合突起部４６が若干弾性変形した状態で、突起外周面部４６５または突起先端部４６６が係合溝部３４の側壁外周部３４１に押し付けられる。突起外周面部４６５または突起先端部４６６は、矢印Ｐの向きに押し返される。このようにして第１係合突起部４６は係合溝部３４によって係止され、カバー４は本体部３と強く密着する。
【００７０】
また、第２係合突起部４７の厚みは側壁外周部３４１と側壁内周部３４０との間隔よりも大きいので、第２係合突起部４７が側壁外周部３４１と側壁内周部３４０との間に圧入される。詳しくは、図１６の（ｂ）（ｃ）に示すように、第２係合突起部４７は、スライド部３８１を移動しながら、第２係合突起部４７の厚みより間隔が狭い部分を通過する。このとき、第２係合突起部４６の突起内周面部４７０が、係合溝部３４の側壁である側壁内周部３４０を若干後退させたスライド部３８１の反力を受けるため、第２係合突起部４７は弾性変形する。そして、取付部４５の第２係合突起部４７が形成されている部分は、取付部４５の直径方向の外側に向かって弾性変形する。
【００７１】
図１６の（ｄ）に示すように、第２係合突起部４７は、回動規制凹部３８２の位置に移動すると弾性変形が解消され、回動規制凹部３８２と係合する。このため、第２係合突起部４７は、回動規制凹部３８２によって係止され、係合溝部３４内を回転方向に移動することが規制される。このようにして、カバー４は本体部３に対する回転が規制される、
【００７２】
以上のように、カバー４の取付部４５が、第１挿入切欠き部３５に第１係合突起部４６を収容しながら係合溝部３４に挿入された状態から係合溝部３４の周方向（溝方向ともいう）に回転すると、第１係合突起部４６は、取付部４５の回転にしたがって第１挿入切欠き部３５の位置から側壁である側壁外周部３４１と対向した位置に移動する。
そして、カバー４の取付部４５が、第２挿入切欠き部３８０に第２係合突起部４７を収容された状態から係合溝部３４の周方向（溝方向ともいう）に回転すると、第２係合突起部４７は、取付部４５の回転にしたがって第２挿入切欠き部３８０の位置から側壁である側壁内周部３４０を後退させたスライド部３８１を通過して、第１挿入切欠き部３５と対向した回動規制凹部３８２の位置に移動する。
第１係合突起部４６は、側壁外周部３４１と対向する位置において、側壁外周部３４１により弾性変形するため、少なくとも側壁外周部３４１は第１係合突起部４６よりも硬い材料であることが好適である。また、第２係合突起部４７は、スライド部３８１を通過する位置において、スライド部３８１により弾性変形するため、少なくともスライド部３８１は第２係合突起部４７よりも硬い材料であることが好適である。
【００７３】
＜照明具１００の形状について＞
次に、図４を用いて、照明具１００の形状について説明する。
本実施の形態に係る照明具１００は、例えば、全配光形（広配光形）の配光特性２２０°と、一般的な白熱電球（エジソン電球）と完全同一または同等のフォルムとを併せ持つ電球形ＬＥＤランプであり、その形状は以下の通りである。
（ａ）カバー主部４０の高さ寸法Ｌ２は、照明具１００の高さ寸法Ｌ１の５０％以上である。
（ｂ）本体部３の高さ寸法Ｌ３は、照明具１００の高さ寸法Ｌ１の２５％以下である。
（ｃ）カバー主部４０の高さ寸法Ｌ２は、本体部３の高さ寸法Ｌ３より大きい。
（ｄ）本体部３の高さ寸法Ｌ３は、カバー主部４０の高さ寸法の５０％以下である。
（ｅ）カバー主部４０の最大径寸法Ｗ１は、本体部３の最大径寸法Ｗ１１より大きい。
（ｆ）本体部３の最大径寸法Ｗ１１は、カバー主部４０の最大径寸法Ｗ１の７０％以下である。
（ｇ）カバー主部４０の包絡体積は、本体部３の包絡体積より大きい。
（ｈ）口金側から見た（下面視における）カバー主部の投影面積は５０％以上である。これにより、口金側への配光が向上する。
（ｉ）口金側から見た（下面視における）本体部３の投影面積は２０％以下である。これにより、口金側への配光が向上する。
（ｊ）光源部６（発光部）がカバー主部４０の下端部と同じ高さになる位置に配置（実装）される。
（ｋ）光源部６（発光部）の発光中心（光源）は本体部３の最小径領域の１２０％以内の領域に配置される。これにより、口金側への配光が向上する。
なお、実施の形態に係る照明具１００は、上述のように、照明具（電球形照明ランプ）全体における本体部の占める高さ寸法の割合が低く抑えられている。よって、本体部の筒部内部の収容部に収容される絶縁部について、蓋部の厚さ寸法を最小化（フィルム化、シート化）することによって、電源部が収納される絶縁部の筒部の容積を確保しながら本体部の高さ寸法を小さくすることができる。
【００７４】
また、より具体的には、本実施の形態に係る照明具１００は以下のような特徴を有することが好ましい。
（Ａ）配光特性は全配光形（広配光形）の配光特性２２０°以上であること。
（Ｂ）外形が白熱電球（エジソン電球）と完全同一または同等のフォルムであること。
（Ｃ）外形寸法、光源位置がＪＩＳ  Ｃ  ７５０１で規定された寸法であること。すなわち、Ｌ１＝１０６ｍｍ、Ｗ１＝６０ｍｍ（φ６０）であること。
（Ｄ）白熱電球用の照明器具または電球形蛍光灯用の照明器具に取り付けが可能であること。
（Ｅ）全体のバランスが良く、意匠性に優れた外径形状であること。
【００７５】
＜＜本実施の形態の効果の説明＞＞
以上のように、本実施の形態に係る照明具１００では、取付部４５の第１係合突起部４６が本体部３の中心軸方向に沿って第１挿入切欠き部３５に挿入され、カバー４を本体部３へ押付けた状態で、カバー４または本体部３のいずれかを中心軸を基準にして回転する。そして、第１係合突起部４６が第１挿入切欠き部３５から係合溝部３４に移動した位置で回転を停止する。このようにカバー４が本体部３に取り付けられた状態では、取付部４５の第１係合突起部４６が若干弾性変形した状態となっており、第１係合突起部４６の弾性力によって第１係合突起部４６の突起先端部４６６が係合溝部３４の若干傾斜した側壁外周部３４１に押し付けられる。このとき、カバー４は、若干傾斜した側壁外周部３４１の反力を受けるので、第１係合突起部４６が本体部３の係合溝部３４の下端部に向って押し戻される。つまり、カバー４は本体部３に密着して取り付けられることになり、本体部３に取り付けられたカバー４は、本体部３から外れるおそれがない。
このように、取付部４５に形成された第１係合突起部４６と係合溝部３４に形成された係合溝部とは、第１の方向である本体３の中心軸方向にカバー４が移動することを規制する第１の移動規制機構を構成する。
【００７６】
そして、本実施の形態に係る照明具１００では、取付部４５の第２係合突起部４７が本体部３の中心軸方向に沿って第２挿入切欠き部３８０に挿入され、カバー４を本体部３へ押付けた状態で、カバー４または本体部３のいずれかを中心軸を基準にして回転する。そして、第２係合突起部４７が第２挿入切欠き部３８０から係合溝部３４内のスライド部３８１を通過して回動規制凹部３８２に移動した位置で回転を停止する。このようにカバー４が本体部３に取り付けられた状態では、取付部４５の第２係合突起部４７が回動規制凹部３８２によって回転方向の移動を規制された状態となっており、第２係合突起部４７が形成された取付部４５は、係合溝部３４内を回転しない。このため、第１係合突起部４６は係合溝部３４に係止された状態を維持し、再び第１挿入切欠き部３５の位置に移動することはない。つまり、カバー４は本体部３に密着して取り付けられる状態を維持することになり、本体部３に取り付けられたカバー４は、本体部３から外れるおそれがない。
このように、取付部４５に形成された第２係合突起部４７と係合溝部３４に形成された回動規制凹部３８２とは、第２の方向であり環状に形成された係合溝部３４の溝方向である回転方向にカバー４が移動することを規制する第２の移動規制機構を構成する。
【００７７】
また、本実施の形態に係る照明具１００では、照明具（電球形照明ランプ）全体における本体部（ヒートシンク）の占める割合が小さいので、照明具の軽量化も図られる。一方、カバーは相対的に大きくなるため重くなり、相対的に小さくなる本体部に対して確実に取り付ける必要がある。そこで、本実施の形態に係る照明具１００のカバーと本体部との取付け構造によれば、より確実に取り付けられ、本体部に取り付けられたカバーが相対的に重くなっても本体部から外れるおそれがない。
【００７８】
また、本実施の形態に係る照明具１００では、照明具（電球形照明ランプ）全体におけるカバーの占める割合が大きい。このため、使用者が照明具を照明器具に取り付けたり、照明具を照明器具から取り外したりする際には、カバーを掴んで作業を行うことが想定される。照明具は照明器具に確実に取り付けられる必要があり、確実に取り外される必要がある。そこで、本実施の形態に係る照明具１００のカバーと本体部との取付け構造によれば、カバーを掴んで作業が行われても、カバーは本体部に対して回転するおそれがないし、本体部から外れるおそれがない。
【００７９】
上側カバーと下側カバーとの２つの部品で構成される場合、カバーの最大径部分において上下に分割されているので超音波溶着や振動溶着などより固着する必要があった。また、異なる形の別々のカバーを使用する必要があるため、部品の材料費を増大させてしまうおそれがある。異なる形のカバーを成形するために別々の金型を使用する必要があり、金型費を増大させてしまうおそれがある。組立工程にカバーを固着させる工程を設ける必要があり、組立工程を複雑にしたり、固着の品質を維持管理したりする手間が発生し、製造コスト、製造品質の面で課題が残る。
一方、本実施の形態に係る照明具１００では、カバー主部と取付部とが１つの部品で形成されているため、製造コストを削減できると共に、製造品質も向上させることができる。
また、外観意匠部品であり光を透過する光学部品であるカバーは、照明装置（ランプ）にとって最も重要な部品であり、カバーの表面に固着痕を残す方法は、意匠性、光学特性を損なうおそれがある。一方、本実施の形態に係る照明具１００では、カバー主部と取付部とが１つの部品で形成されているため、意匠性、光学特性を損なうおそれがない。
以上のように、本実施の形態に係る照明具１００によれば、簡単な構成によりカバーと本体部とを確実に接合することができるので、製造コストを削減できる。また、カバーは１つの部品により形成されているので、製造品質も向上させると共に、意匠性、光学特性を損なうおそれがない。
【００８０】
カバー取付部と本体部とが取り付けられる部分は、カバーの最大径より小さい径となり、光源素子（ＬＥＤ）は本体部（ヒートシンク）のカバーに覆われる部分に形成された光源配置部に配置（実装）される。そこで、全配光形（広配光形）の配光特性を得るためには、光源素子（ＬＥＤ）は光源配置部のなるべく外縁側に配置（実装）されることが好ましい。このため、取付部は、光源配置部の更に外縁部の極々限られた領域に取り付ける必要がある。
本実施の形態に係るカバーと取付部との取付け構造によれば、取付部の周面から突出した第１係合突起部を係合溝部の側壁外周部により弾性変形させて密着させるので、係合溝部の幅を小さくして、光源配置部の面積を大きくすることができる。
なお、例えば、本体部に対するカバーの寸法は、摂氏２５度以上の環境で調整し、照明具を点灯させたときにカバーが若干膨張するようにすれば、少なくとも照明具に通電させているときには、カバーが落下しない。
【００８１】
＜＜他の構成＞＞
本実施の形態では、第１係合突起部は、取付部の外側の周面である筒部外周面部から突出するように形成されていた。しかし、第１係合突起部が取付部の内側の周面から内側に突出するように取り付けられていてもよい。あるいは、取付部の両側の周面から突出していてもよい。
例えば、第１係合突起部が取付部の内側の周面から突出する場合、第１係合突起部を側壁内周部に形成された凹みであるネジ貫通孔に沿わせながら、取付部を係合溝部に挿入する。その後、カバーを回転させて、第１係合突起部が側壁内周部に対向する位置まで移動させる。このとき、本実施の形態と同様に、側壁内周部により第１係合突起部が弾性変形され、カバーと本体部とが密着する。
また、例えば、第１係合突起部が取付部の両側の周面から突出する場合、第１係合突起部を側壁外周部に形成された第１挿入切欠き部と側壁内周部に形成されたネジ貫通孔とに沿わせながら、取付部を係合溝部に挿入する。その後、カバーを回転させて、第１係合突起部が側壁外周部と側壁内周部とに挟まれる位置まで移動させる。このとき、本実施の形態と同様に、側壁外周部と側壁内周部とに挟まれ第１係合突起部が弾性変形され、カバーと本体部とが密着する。
【００８２】
また、本実施の形態では光源素子６７としてＬＥＤを用いているが、ＬＥＤ以外の光源素子でもよい。具体的には、光源素子として、有機ＥＬ（Ｏｒｇａｎｉｃ  ｅｌｅｃｔｒｏ−ｌｕｍｉｎｅｓｃｅｎｃｅ：ＯＥＬ）あるいはレーザ（Ｌｉｇｈｔ  Ａｍｐｌｉｆｉｃａｔｉｏｎ  ｂｙ  Ｓｔｉｍｕｌａｔｅｄ  Ｅｍｉｓｓｉｏｎ  ｏｆ  Ｒａｄｉａｔｉｏｎ：ＬＡＳＥＲ）を用いてもよい。
本実施の形態では、カバーと本体部との取付け構造について、ＬＥＤを光源として用いた白熱電球と完全同一または同等のフォルムの電球形ランプを例として説明したが、その他の形態の電球形ランプでも適用可能である。例えば、ＬＥＤを光源として用いたミニクリプトンタイプの小形電球でも適用可能である。
なお、このように形成された本体部３は、ＪＩＳ  Ｃ  ８１５８に規定されているＡ形の電球形ランプ、Ｔ形、Ｇ形として規定されている電球形ランプにも適用できる。
【００８３】
実施の形態２．
本実施の形態では、主に、実施の形態１と異なる点について説明する。
図１７は、本実施の形態に係る照明具１００の部分拡大断面図である。図１７では、本体部３の係合溝部３４と、取付部４５のうち第１係合突起部４６が設けられていない部分との係合状態を示している。
図１７において、実施の形態１と同様の構成部については同一の符号を付し、その説明を省略するものとする。
【００８４】
本実施の形態に係る取付部４５と係合溝部３４との取付け構造は、係合溝部３４に接着剤８を充填するものである。
図１７に示すように、取付部４５を係合溝部３４に接着固定する場合に、硬化した接着剤８が取付部４５の鍔部４５１を抱え込んで保持する。筒部外周面部４５０１と鍔部上面部４５３と鍔部外周面部４５２とにより形成されるくぼみ部分に接着剤８が入り込んで硬化することで接着力が高まるアンカー効果を増大させることができる。
【００８５】
ここで、取付部４５を係合溝部３４に接着固定する場合、あるいは、カバー４が弾性変形しにくい材料で形成される場合には、第１係合突起部４６の厚みを対応する側壁外周部３４１と側壁内周部３４０との間隔と同じ寸法としてもよいし、または第１係合突起部４６の厚みを対応する側壁外周部３４１と側壁内周部３４０との間隔よりも小さい寸法としてもよい。
第１係合突起部４６が側壁外周部３４１と側壁内周部３４０との間にスムーズに挿入される。第１係合突起部４６が側壁外周部３４１と側壁内周部３４０との間に挿入されると、第１係合突起部４６は、係合溝部３４の側壁である側壁外周部３４１と対向した状態で弾性変形しない。
【００８６】
実施の形態３．
本実施の形態では、主に、実施の形態１と異なる点について説明する。
図１８は、本発明の実施の形態３に係る照明具１００の分解斜視図である。
図１９は、本発明の実施の形態３に係る本体部３とカバー４との取付け構造を示す図であり、光源回路基板６０ａと取付部４５との係合状態を示す図である。
図１８及び図１９において、実施の形態１と同様の構成部については同一の符号を付し、その説明を省略するものとする。
【００８７】
本実施の形態に係る取付部４５と係合溝部３４との取付け構造における第２係合突起部４７は、回転方向の移動を規制する回動規制の機能と、本体部３の中心軸に沿う方向の移動を規制する係合の機能とを兼ね備えている。
図１８に示すように、本実施の形態に係る照明具１００は、光源回路基板６０ａと、光源回路基板６０ａの実装面である実装部６１に実装される光源素子６７とを有する光源部光源部６を備えている。
光源回路基板６０ａには、ネジ貫通孔６５ａが形成されている。ネジ貫通孔６５ａは、光源回路基板６０ａの周縁部側が閉塞されるように形成されている。
光源回路基板６０ａには、ネジ貫通孔６５ａと異なる位置に基板切欠き部６８が形成されている。詳しくは、光源回路基板６０ａの、ネジ貫通孔６５ａが形成された位置から、回転方向に角度θ１だけ離れた位置に基板切欠き部６８が形成されている。基板切欠き部６８は光源回路基板６０ａの周縁部から内側にＵ字形に凹むように形成されている。
光源回路基板６０ａの外形は、直径が光源配置部３０の直径と略同じ円盤状である。そして、光源部６が光源配置部３０に取り付けられた状態では、光源回路基板６０ａの周縁部は、基板切欠き部６８が形成された部分を除いて側壁内周部３４１に略沿っている。
【００８８】
ネジ７は、光源回路基板６０ａのネジ貫通孔６５ａ、光源配置部３０のネジ貫通孔３２、蓋部２６のネジ貫通部２６０を貫通し、絶縁部２の第１凸部２５０に設けられたネジ孔２５１にねじ込まれる。このネジ７により、光源部６、本体部３、絶縁部２の蓋部２６及び筒部２０を一体に固定する。
図１９に示すように、カバー４が本体部に取り付けられた状態では、取付部４５の第２係止突起部４７は回動規制凹部に係合している。このとき、本体部３の中心軸方向（矢印Ｚの方向）において、第２係合突起部４７は光源回路基板６０ａの周縁部と重なっている。重なり寸法はＷ６０である。詳しくは、第２係合突起部４７の突起上面部４７１は、光源回路基板６０ａの裏面である熱伝達部６２と対向している。このため、第２係合突起部４７は光源回路基板６０ａと係合するので、取付部４５は、カバー４が本体部３から取り外される向きへの移動が規制される。
【００８９】
本実施の形態の第２係合突起４７は、カバー４が本体部３に取り付けられた状態では、回動規制凹部３８２と係合しているので、カバー４は回転方向の移動が規制される。そして、本実施の形態の第２係合突起４７は、カバー４が本体部３に取り付けられた状態では、回動規制凹部３８２と係合しているので、カバー４は回転しない。
本実施の形態の第２係合突起４７は、カバー４が本体部３に取り付けられた状態では、光源回路基板６０ａと係合しているので、カバー４は本体部３の中心軸に沿った方向の移動が規制される。そして、本実施の形態の第２係合突起４７は、本体部３に一度取り付けられたカバー４は、本体部３から外れるおそれがない。
【００９０】
なお、本実施の形態において、第１係合突起部４６を併用することによって、カバー４の本体部３へのより確実な取り付けが可能となる。
【００９１】
実施の形態４．
本実施の形態では、主に、実施の形態１，２と異なる点について説明する。
図２０は、本実施の形態に係る照明具１００を吊り下げタイプの照明器具２０００に装
着した照明装置３０００を示す図である。
図２０において、実施の形態１と同様の構成部については同一の符号を付し、その説明を省略するものとする。
本実施の形態では、実施の形態１及び２で説明した照明具１００を吊り下げタイプの照明器具２０００に装着した照明装置３０００について説明する。
【００９２】
照明器具２０００は、天井面などの取付部６０００に取り付けられる。
照明器具２０００は、装置本体２０５、ソケット２０１、電源コード２０３、引掛シーリング２０４を備える。
照明具１００は、照明器具２０００のソケット２０１に装着される。
本実施の形態に係る照明具１００の広配光化によって、天井側の明るさが増す。また、本実施の形態に係る照明具１００では、照明具１００の軽量化によって、電源コード２０３への負担が軽減される。
【００９３】
実施の形態５．
本実施の形態では、主に、実施の形態１から３と異なる点について説明する。
図２１は、本実施の形態に係る照明具１００を埋め込みタイプの照明器具２０００ａに装着した照明装置３０００ａを示す図である。
図２１において、実施の形態１から３と同様の構成部については同一の符号を付し、その説明を省略するものとする。
本実施の形態では、実施の形態１及び２で説明した照明具１００を埋め込みタイプの照明器具２０００ａに装着した照明装置３０００ａについて説明する。
【００９４】
照明器具２０００ａは、天井面などの取付部６０００に設けられた取付孔７０００に取り付けられる。
照明器具２０００ａは、リフレクタや化粧フレームなどを備える装置本体３０５、ソケット２０１を備える。
照明具１００は、照明器具２０００ａのソケット２０１に装着される。
本実施の形態に係る照明具１００の広配光化によって、リフレクタ上部の明るさが増す。また、照明具１００の小型化によって、装置本体３０１への装着性が向上する。また、照明具１００の軽量化によって、装置本体３０１への負担が軽減される。
【００９５】
以上、本発明の実施の形態１から４について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。その他、これらの実施の形態を、全体としてあるいは部分的に、どのように組み合わせて実施しても構わない。
なお、上記の実施の形態は、本質的に好ましい例示であって、本発明、その適用物及び用途の範囲を制限することを意図するものではなく、必要に応じて種々の変更が可能である。
【符号の説明】
【００９６】
１  口金、１０  シェル部、１２  アイレット部、２  絶縁部、２０  筒部、２１  外周部、２１０  ネジ部、２１１  鍔部、２１２  挿入ガイド凸部、２１３  電線配置溝、２２  内周部、２２０  収容部、２３  リブ、２４  第１開口端部、２４０  通線凹部、２５  第２開口端部、２５０  第１凸部、２５１  ネジ孔、２５２  第２凸部、２６  蓋部、２６０  ネジ貫通部、２６１  電線貫通孔、３  本体部、３０  光源配置部、３１  光源配置面部、３２  ネジ貫通孔、３３  電線貫通孔、３４  係合溝部、３４０  側壁内周部、３４１  側壁外周部、３４２  第２外周部、３４４  底部、３４５  開口部、３５  第１挿入切欠き部、３５０  切欠き外周部、３５１  第１外周部、３５２  第２外周部、３５３  切欠き側壁部、３５４  切欠き底部、３５５  切欠き開口部、３４５  傾斜部、３４６  上面縁部、３４７  上面部、３４９  側壁、３６  内面部、３６０  第１凹部、３６１  第２凹部、３７  筒部、３７０  第１錐状部、３７１  第２錐状部、３７２  第３錐状部、３７３  外周部、３７４  内周部、３７５  挿入ガイド凹部、３７６  開口端部、３７８  空洞部、３８  回動規制部、３８０  第２挿入切欠き部、３８１  スライド部、３８２  回動規制凹部、４  カバー、４０  カバー主部、４１  第１主部、４２  第２主部、４３  ガイドマーク、４４  下端部、４４０  開口部、４５  取付部、４５０  筒部、４５０１  筒部外周面部、４５０２  筒部内周面部、４５１  鍔部、４５２  鍔部外周面部、４５３  鍔部上面部、４５９  鍔部下面部、４６  第１係合突起部、４６５  突起外周面部、４６６  突起先端部、４６７  突起上面部、４６８  突起側面部、４６９  突起下面部、４７  第２係合突起部、４７０  突起内周面部、４７１  突起上面部、４７２  突起下面部、５  電源部、５０  点灯回路基板、５１  点灯回路部品、６  光源部、６０，６０ａ  光源回路基板、６１  実装部、６２  熱伝達部、６５，６５ａ  ネジ貫通孔、６６  電線挿通孔、６７  光源素子、６８  基板切欠き部、７  ネジ、８  接着剤、１００  照明具、２００，２０００，２０００ａ  照明器具、２０１  ソケット、２０３  電源コード、２０４  引掛シーリング、２０５，３０５  装置本体、３０００，３０００ａ  照明装置、６０００  取付部、７０００  取付孔。
【図１】
2018174073.tif 000003
【図２】
2018174073.tif 000004
【図３】
2018174073.tif 000005
【図４】
2018174073.tif 000006
【図５】
2018174073.tif 000007
【図６】
2018174073.tif 000008
【図７】
2018174073.tif 000009
【図８】
2018174073.tif 000010
【図９】
2018174073.tif 000011
【図１０】
2018174073.tif 000012
【図１１】
2018174073.tif 000013
【図１２】
2018174073.tif 000014
【図１３】
2018174073.tif 000015
【図１４】
2018174073.tif 000016
【図１５】
2018174073.tif 000017
【図１６】
2018174073.tif 000018
【図１７】
2018174073.tif 000019
【図１８】
2018174073.tif 000020
【図１９】
2018174073.tif 000021
【図２０】
2018174073.tif 000022
【図２１】
2018174073.tif 000023